(57)【要約】【課題】静止画像に対して特に好適なデータ量軽減処理を行うことが可能な画像記録再生装置を提供すること。【解決手段】データ軽減処理を実行する場合には、まず画像ファイルの画像付随情報が解析されてデータ軽減対象となる画像ファイルの抽出が行われる（ステップＳ８）。この画像付随情報の解析によってデータ軽減対象となる画像ファイルが抽出できなかった場合には、画像データの解析ユーザによってデータ軽減対象となる画像ファイルの抽出が行われる（ステップＳ１０）。画像付随情報の解析又は画像データの解析によってデータ軽減対象となる画像ファイルが抽出できた場合には、ユーザによって設定された方法に従ってデータ軽減処理が実行される（ステップＳ１８）。【選択図】図２
2009118100.tif 000002
【特許請求の範囲】
【請求項１】
画像データと該画像データに付随する画像付随情報とを有する画像ファイルを記録する記録手段と、
前記記録手段の空容量が設定容量よりも少ない場合に、前記記録手段から前記画像ファイルを読み出し、該読み出した画像ファイルの前記画像付随情報を解析してデータ量の軽減対象となる画像ファイルを抽出する画像付随情報解析手段と、
前記画像付随情報解析手段によって前記軽減対象となる画像ファイルが抽出できなかった場合に、前記記録手段から前記画像ファイルを読み出し、該読み出した画像ファイルの前記画像データを解析してデータ量の軽減対象となる画像ファイルを抽出する画像データ解析手段と、
前記画像付随情報解析手段又は前記画像データ解析手段によってデータ量の軽減対象となる画像ファイルが抽出できた場合に、前記抽出された画像ファイルに対してデータ量軽減処理を行って前記画像ファイルのデータ量を軽減するデータ軽減処理手段と、
を具備することを特徴とする画像記録再生装置。
【請求項２】
前記画像付随情報は、前記画像データの撮影日時、前記画像データのデータ形式、前記画像データの圧縮率、前記画像データのサイズ、前記画像データの撮影条件、前記画像データに写っている被写体の情報、前記画像ファイルがお気に入り登録されているかを示す情報、前記画像ファイルが印刷対象に設定されているかを示す情報、前記画像ファイルの消去又は編集が禁止されているかを示す情報の少なくとも何れかを含むことを特徴とする請求項１に記載の画像記録再生装置。
【請求項３】
前記画像付随情報解析手段及び前記画像データ解析手段は、前記データ量の軽減対象となる画像ファイルの抽出を、前記撮影日時が古い順に行うことを特徴とする請求項２に記載の画像記録再生装置。
【請求項４】
前記画像データの撮影条件は、前記画像データをＲＡＷ形式とＪＰＥＧ形式の同時撮り形式で取得したか、前記画像データをブラケット撮影で取得したか、前記画像データをシーンモードで取得したか、前記画像データをシャッタ優先モードで取得したか、前記画像データを顔検出動作モードで取得したかの少なくとも何れかを含むことを特徴とする請求項２に記載の画像記録再生装置。
【請求項５】
前記画像データに写っている被写体の情報は、前記被写体の顔が検出されているかを示す情報を含むことを特徴とする請求項２に記載の画像記録再生装置。
【請求項６】
前記画像付随情報解析手段は、前記画像ファイルの前記画像付随情報を解析した結果、前記画像データがＲＡＷ形式とＪＰＥＧ形式の同時撮り形式で取得されている場合には、前記画像ファイルのＪＰＥＧ形式の画像ファイルを前記データ量の軽減対象となる画像ファイルとして抽出することを特徴とする請求項４に記載の画像記録再生装置。
【請求項７】
前記画像データ解析手段は、前記画像データに対してボケ検出処理、ブレ検出処理、顔検出処理を行って前記データ量の軽減対象となる画像ファイルを抽出するとともに、前記ボケ検出処理、前記ブレ検出処理、前記顔検出処理の全てを行う場合には、前記顔検出処理を最後に行うことを特徴とする請求項１に記載の画像記録再生装置。
【請求項８】
前記データ軽減処理手段は、前記データ軽減処理として、前記画像データのリサイズ処理、前記画像データの圧縮率の変更処理、前記画像データのモノクロ変換処理、前記画像データの消去処理の少なくとも何れかを行うことを特徴とする請求項１に記載の画像記録再生装置。
【請求項９】
前記データ軽減処理の際のデータ軽減量を設定するための設定手段をさらに具備することを特徴とする請求項１に記載の画像記録再生装置。
【請求項１０】
画像データと該画像データに付随する画像付随情報とを有する画像ファイルを記録する記録手段と、
前記記録手段の空容量が設定容量よりも少ない場合に、前記記録手段から前記画像ファイルを読み出し、該読み出した画像ファイルの前記画像付随情報を解析してデータ量の軽減対象となる画像ファイルを抽出する画像付随情報解析手段と、
前記画像付随情報解析手段によって抽出された画像ファイルに対してデータ量軽減処理を行って前記画像ファイルのデータ量を軽減するデータ量軽減処理手段と、
を具備することを特徴とする画像記録再生装置。
【発明の詳細な説明】
【技術分野】
【０００１】
本発明は、画像データを記録及び再生できる画像記録再生装置に関する。
【背景技術】
【０００２】
近年のデジタルカメラ等の画像記録再生装置は、画素数が１０００万画素を超えるものもあり、それに伴って画像データを記録するための記録媒体の容量も増大してきている。しかしながら、記録媒体の容量は有限であるので、データ整理の必要性がなくなるわけではない。例えば、デジタルカメラ等の画像記録再生装置を外に持ち出して使用する場合に、記録媒体の残容量がないためにそれ以上の撮影ができない場合等では、記録媒体内の不要な画像を削除して空容量を作る必要がある。
【０００３】
記録媒体の空容量を自動的に作る提案として、例えば特許文献１では画像データに付随している録画日時やアクセス回数等の管理情報に従って自動削除の対象となる画像データを検出して削除を行うようにしている。
【特許文献１】特開２００７−４３２４０号公報
【発明の開示】
【発明が解決しようとする課題】
【０００４】
ここで、特許文献１の手法は、画像データとしてテレビジョン放送等の動画像データを記録するための画像記録再生装置における記録媒体の空容量を作る用途を想定しており、また、記録媒体の空容量を作るためのデータ軽減処理手法が画像の削除に限られている。これに対しデジタルカメラのような静止画像を記録するための画像記録再生装置の場合には必ずしも画像の削除を行わなくとも良い場合がある。
【０００５】
本発明は、上記の事情に鑑みてなされたもので、静止画像に対して特に好適なデータ量軽減処理を行うことが可能な画像記録再生装置を提供することを目的とする。
【課題を解決するための手段】
【０００６】
上記の目的を達成するために、本発明の第１の態様の画像記録再生装置は、画像データと該画像データに付随する画像付随情報とを有する画像ファイルを記録する記録手段と、前記記録手段の空容量が設定容量よりも少ない場合に、前記記録手段から前記画像ファイルを読み出し、該読み出した画像ファイルの前記画像付随情報を解析してデータ量の軽減対象となる画像ファイルを抽出する画像付随情報解析手段と、前記画像付随情報解析手段によって前記軽減対象となる画像ファイルが抽出できなかった場合に、前記記録手段から前記画像ファイルを読み出し、該読み出した画像ファイルの前記画像データを解析してデータ量の軽減対象となる画像ファイルを抽出する画像データ解析手段と、前記画像付随情報解析手段又は前記画像データ解析手段によってデータ量の軽減対象となる画像ファイルが抽出できた場合に、前記抽出された画像ファイルに対してデータ量軽減処理を行って前記画像ファイルのデータ量を軽減するデータ軽減処理手段とを具備することを特徴とする。
【０００７】
また、上記の目的を達成するために、本発明の第２の態様の画像記録再生装置は、画像データと該画像データに付随する画像付随情報とを有する画像ファイルを記録する記録手段と、前記記録手段の空容量が設定容量よりも少ない場合に、前記記録手段から前記画像ファイルを読み出し、該読み出した画像ファイルの前記画像付随情報を解析してデータ量の軽減対象となる画像ファイルを抽出する画像付随情報解析手段と、前記画像付随情報解析手段によって抽出された画像ファイルに対してデータ量軽減処理を行って前記画像ファイルのデータ量を軽減するデータ量軽減処理手段とを具備することを特徴とする。
【発明の効果】
【０００８】
本発明によれば、静止画像に対して特に好適なデータ量軽減処理を行うことが可能な画像記録再生装置を提供することができる。
【発明を実施するための最良の形態】
【０００９】
以下、図面を参照して本発明の実施形態を説明する。  
図１は、本発明の一実施形態に係る画像記録再生装置の一例としてのデジタルカメラの構成を示すブロック図である。図１に示すデジタルカメラは、レンズ系１０１と、レンズ駆動部１０２と、レンズ駆動制御回路１０３と、撮像素子１０４と、撮像回路１０５と、アナログ／デジタル（Ａ／Ｄ）変換回路１０６と、データバス１０７と、ＳＤＲＡＭ１０８と、画像処理回路１０９と、ビデオエンコーダ１１０と、ＬＣＤドライバ１１１と、ＬＣＤ１１２と、カードドライバ１１４と、メモリカード１１５と、ＭＰＵ１１６と、ＲＯＭ１１７と、インターフェース（Ｉ／Ｆ）１１８と、操作部１１９と、電源部１２０とを有している。
【００１０】
レンズ系１０１は、図示しない被写体の像を撮像素子１０４に結像させるためのレンズ系である。レンズ駆動部１０２は、レンズ系１０１に含まれるフォーカスレンズやズームレンズ等の各種のレンズを駆動させる。レンズ駆動制御回路１０３は、ＭＰＵ１１６の制御の下、レンズ駆動部１０２の制御を行う。
【００１１】
撮像素子１０４は、レンズ系１０１を介して結像された被写体像を電気信号（画像信号）に変換する。撮像回路１０５は、撮像素子１０４で得られた画像信号に対して波形整形、ノイズ除去、増幅等の種々のアナログ処理を行う。Ａ／Ｄ変換回路１０６は、撮像回路１０５でアナログ処理された画像信号をデジタル信号（画像データ）に変換する。
【００１２】
データバス１０７は、Ａ／Ｄ変換回路１０６で得られた画像データや画像処理回路１０９において画像処理されて得られた画像データ等の各種のデジタルデータを転送するための転送路である。ＳＤＲＡＭ１０８は、Ａ／Ｄ変換回路１０６で得られた画像データや画像処理回路１０９において画像処理されて得られた画像データ等の各種のデジタルデータを一時記憶しておくための記憶部である。
【００１３】
画像処理回路１０９は、Ａ／Ｄ変換回路１０６において得られ、ＳＤＲＡＭ１０８に記憶されている画像データに対し、ＭＰＵ１１６から指示される記録モードに応じた画像処理を施す。
【００１４】
ここで、本実施形態のデジタルカメラは、静止画像の記録モードとして、Ａ／Ｄ変換回路１０６で得られた画像データを画像処理回路１０９においてＪＰＥＧ形式に変換してからメモリカード１１５に記録するＪＰＥＧモードと、Ａ／Ｄ変換回路１０６で得られた画像データをそのままの形式（ＲＡＷ形式）で記録するＲＡＷモードと、ＪＰＥＧ形式の画像データとＲＡＷ形式の画像データの２形式の画像データの両方を記録する同時撮りモードとを有し、これらの記録モードをユーザが設定可能になされている。
【００１５】
画像処理回路１０９は、記録モードがＪＰＥＧモードに設定されている場合には、ＳＤＲＡＭ１０８に記録されている画像データを読み出してホワイトバランス補正、色補正、階調補正、リサイズ等の処理を行った後、これら処理を施した画像データをＪＰＥＧ圧縮してＪＰＥＧ画像データを生成する。なお、記録画像データのサイズやＪＰＥＧ圧縮時の圧縮率もユーザが設定可能である。また、画像処理回路１０９は、記録モードがＲＡＷモードに設定されている場合には、ＳＤＲＡＭ１０８に記録されている画像データに対して処理を行わない。さらに、画像処理回路１０９は、記録モードが同時撮りモードに設定されている場合には、ＳＤＲＡＭ１０８に記録されている画像データの複製を作成し、一方の画像データのみをＪＰＥＧ画像データに変換する。
【００１６】
さらに、画像処理回路１０９は、画像の再生時には、メモリカード１１５に記録されたＪＰＥＧ画像データを伸張する処理も行う。また、この画像の再生時には、ユーザ操作に従って、画像データをモノクロ画像に変換するモノクロ変換処理等の各種編集処理を行う。
【００１７】
また、画像処理回路１０９は、詳細は後述する画像データ解析処理時には、画像データにおけるブレを検出するブレ検出処理、画像データにおけるボケ量を検出するボケ検出処理、画像データ内の人物の顔部を検出する顔検出処理を行う。
【００１８】
ビデオエンコーダ１１０は、撮影によって得られた画像データ等の各種の画像データをＮＴＳＣ形式等の所定の形式の映像信号に変換する。ＬＣＤドライバ１１１は、ビデオエンコーダ１１０において変換された映像信号に基づいてＬＣＤ１１２を駆動させて画像表示を行う。ＬＣＤ１１２は、撮影によって得られた画像や、当該デジタルカメラの各種の設定を行うためのメニュー画面等の各種の画像を表示するための表示部である。
【００１９】
カードドライバ１１４は画像ファイルをメモリカード１１５に記録させる。メモリカード１１５は、当該デジタルカメラに対して着脱自在に構成されたカード型メモリである。なお、記録媒体として必ずしも着脱自在のカード型メモリを用いる必要はない。
【００２０】
ＭＰＵ（Micro Processing Unit）１１６は、ＲＯＭ１１７に記録されている各種の制御プログラムに従って当該デジタルカメラの各部の動作を制御する。ＲＯＭ１１７は、ＭＰＵ１１６によって参照される各種の制御プログラムや各種の設定値を記録している。Ｉ／Ｆ１１８は、ユーザによる操作部１１９の操作をＭＰＵ１１６に通知するためのインターフェースである。操作部１１９は、撮影実行を指示するためのレリーズボタン、当該デジタルカメラの各種モードを設定するための各種の操作部材を含む操作部である。ＭＰＵ１１６は、ユーザによる操作部１１９の操作を検出してそれに応じた各種の処理をＲＯＭ１１７に記録されている制御プログラムに従って実行する。また、ＭＰＵ１１６は、画像データ（ＲＡＷ形式又はＪＰＥＧ形式）に画像付随情報を付随させて画像ファイルを作成する。ここで、画像付随情報としては、例えば画像データの撮影日時、画像データのデータ形式（ＲＡＷ形式かＪＰＥＧ形式）、画像データの圧縮率、画像データのサイズ、画像データの撮影条件、画像データ内の顔の位置を示す情報、画像ファイルがお気に入り登録されているかを示す情報、画像ファイルが印刷対象に設定されているかを示す情報、画像ファイルの消去又は編集が禁止（所謂ロック）されているかを示す情報等が含まれる。さらに、これらの中の画像データの撮影条件は、画像データを同時撮りモードで取得したか、画像データをブラケット撮影で取得したか、画像データをシーンモードで取得したか、画像データをシャッタ優先モードで取得したか等を含む。
【００２１】
電源部１２０は、当該デジタルカメラのレンズ駆動部１０２、レンズ駆動制御回路１０３、ＭＰＵ１１６に電源を供給する。
【００２２】
以下、本実施形態に係るデジタルカメラの動作について説明する。本実施形態に係るデジタルカメラは、撮影時や画像編集時においてメモリカード１１５の容量が十分であるかを判定し、メモリカード１１５の容量が十分でない場合には、詳細は後述する種々の条件に従ってデータ軽減対象となる画像ファイルをメモリカード１１５内から自動的に抽出して所定のデータ軽減処理を行う。
【００２３】
図２は、図１に示すデジタルカメラの静止画撮影時におけるデータ軽減処理動作について特に示すフローチャートである。図２に示す動作は、電源投入直後等の所定のタイミングで実行される。
【００２４】
図２において、ＭＰＵ１１６は、撮影時のデータ軽減処理設定が既になされているかを判定する（ステップＳ１）。ステップＳ１の判定において、データの軽減処理設定がなされていない場合に、ＭＰＵ１１６は、例えば表示により、ユーザにデータ軽減処理設定を行うように促す（ステップＳ２）。
【００２５】
図３は、撮影時のデータ軽減処理設定の際に表示される項目のツリー構造について示した図である。図３に示すように、撮影時のデータ軽減処理設定は、「撮影メニュー」内に含まれる項目であり、ＬＣＤ１１２に表示される「撮影メニュー」からユーザが呼び出すことができる。ユーザが「撮影メニュー」の「残量管理」を選択すると、「管理方法設定」、「容量設定」、「撮影時軽減方法設定」の３つの項目が表示される。
【００２６】
「管理方法設定」は、メモリカード１１５の空容量がない場合の警告をどのように行うかを設定するための項目である。「管理方法設定」の中の「ＯＦＦ（１）」は、警告を行わないようにする設定である。「撮影時に警告（２）」は、デジタルカメラの動作モードが静止画撮影モードに切り替えられた場合や１ｓｔレリーズ操作（レリーズボタンの半押し操作）がなされた場合等の撮影前に警告を行う設定である。「起動時に警告（３）」は、電源投入直後等の起動時に警告を行う設定である。
【００２７】
「容量設定」は、空容量があるか否かの判断基準とするための設定容量を設定するための項目である。この「容量設定」で設定された設定容量よりもメモリカード１１５の容量が少なくなった場合に警告が行われる。ここで、本実施形態における設定容量は、「記録画像のデータサイズ」×「枚数」と定義している。まず、「残量管理」の中の「容量設定」が選択されると、「記録画像のデータサイズ」を設定するための項目が表示される。この中の「ＲＡＷ（１）」は画像データをＲＡＷ形式で記録する場合である。「高画質ＪＰＥＧ（２）」は、画像データを高画質ＪＰＥＧ形式（大サイズ且つ低圧縮率）で記録する場合である。「標準画質ＪＰＥＧ（３）」は、画像データを標準画質ＪＰＥＧ形式（大サイズ且つ中圧縮率）で記録する場合である。「小サイズＪＰＥＧ（４）」は、画像データを小サイズＪＰＥＧ形式（小サイズ且つ中圧縮率）で記録する場合である。これらの何れかの項目が選択されると、「枚数」を選択するための項目が表示される。このようにして設定容量を設定できるようにすることで、メモリカード１１５の空容量を、どの形式の画像をあと何枚撮影できるかで表すことが可能である。
【００２８】
「撮影時軽減方法設定」は、軽減対象の画像ファイルに対してどのようなデータ軽減処理を行うかを設定するための項目である。「撮影時軽減方法設定」の中の「削除（１）」は、データ軽減処理として軽減対象の画像ファイルを削除する設定である。「リサイズ（２）」は、データ軽減処理として軽減対象の画像ファイルに含まれる画像データのリサイズ（縮小）をする設定である。「圧縮率変更（３）」は、データ軽減処理として軽減対象の画像ファイルに含まれる画像データの圧縮率を変更する（高くする）設定である。「モノクロ化（４）」は、データ軽減処理として軽減対象の画像ファイルに含まれる画像データをモノクロ化する（即ち、色情報をなくす）設定である。「画像毎に選択（５）」は、１〜４で示す撮影時軽減方法設定を画像毎にユーザが選択する設定である。なお、２又は３の場合には、さらにデータ軽減の際のリサイズ率（縮小率）や圧縮率を設定できるようにしても良い。
【００２９】
以上説明したようなデータ軽減処理設定がユーザによってなされると、ＭＰＵ１１６は、「管理方法設定」が１でない、即ち「ＯＦＦ」以外に設定されているかを判定する（ステップＳ３）。ステップＳ３の判定において、「管理方法設定」が「ＯＦＦ」に設定されている場合には図２の処理を終了させる。
【００３０】
また、ステップＳ３の判定において、「管理方法設定」が「ＯＦＦ」以外に設定されている場合に、ＭＰＵ１１６は、現在のデジタルカメラの状態を判別し、現在の状態が「管理方法設定」においてユーザによって設定された警告条件に合致しているかを判定する（ステップＳ４）。即ち、「管理方法設定」が「撮影時に警告」に設定されている場合には、現在の状態が静止画撮影モードに切り替えられた直後や１ｓｔレリーズ操作がなされた場合等の撮影時であるかを判定する。一方、「管理方法設定」が「起動時に警告」に設定されている場合には、現在の状態が電源投入直後等の起動時であるかを判定する。ステップＳ４の判定において、現在の状態が「管理方法設定」においてユーザによって設定された警告条件に合致していない場合には図２の処理を終了させる。
【００３１】
また、ステップＳ４の判定において、現在の状態が「管理方法設定」においてユーザによって設定された警告条件に合致している場合に、ＭＰＵ１１６は、現在のメモリカード１１５の空容量が「容量設定」においてユーザによって設定された設定容量未満であるかを判定する（ステップＳ５）。ステップＳ５の判定において、現在のメモリカード１１５の空容量が「容量設定」においてユーザによって設定された設定容量以上である場合には図２の処理を終了させる。
【００３２】
また、ステップＳ５の判定において、メモリカード１１５の空容量が「容量設定」においてユーザによって設定された設定容量未満である場合には、メモリカード１１５の空容量が設定容量に満たないため、データ軽減処理を行うかどうかをユーザに確認する。このために、ＭＰＵ１１６は、例えば「記録容量が少なくなりました。データ軽減しますか？」等の警告メッセージをＬＣＤ１１２に表示させるように指示を送る（ステップＳ６）。その後、ＭＰＵ１１６は、ユーザによる操作部１１９の操作によってデータ軽減処理の実行が指示されたかを判定する（ステップＳ７）。ステップＳ７の判定において、データ軽減処理の実行が指示されなかった場合には図２の処理を終了させる。
【００３３】
一方、ステップＳ７の判定において、データ軽減処理の実行が指示された場合に、ＭＰＵ１１６は、詳細は後述する画像付随情報解析処理を行って、データ軽減対象の画像ファイルを抽出する（ステップＳ８）。画像付随情報解析処理の後、ＭＰＵ１１６は、データ軽減対象の画像ファイルを抽出できたかを判定する（ステップＳ９）。ステップＳ９の判定において、画像付随情報解析処理の結果としてデータ軽減対象の画像ファイルを抽出できなかった場合に、ＭＰＵ１１６は、画像処理回路１０９に、詳細は後述する画像データ解析処理を行わせて、データ軽減対象の画像ファイルを抽出する（ステップＳ１０）。画像データ解析処理の後、ＭＰＵ１１６は、データ軽減対象の画像ファイルを抽出できたかを判定する（ステップＳ１１）。ステップＳ１１の判定において、画像データ解析処理の結果としてデータ軽減対象の画像ファイルを抽出できなかった場合に、ＭＰＵ１１６は、データ軽減処理を行えない旨をユーザに通知するために、例えば「データ軽減可能なファイルは検出できませんでした。メモリカードを交換してから撮影して下さい。」等の警告メッセージをＬＣＤ１１２に表示させるように指示を送る（ステップＳ１２）。その後、図２の処理を終了させる。
【００３４】
また、ステップＳ９又はステップＳ１１の判定において、データ軽減対象の画像ファイルを抽出できた場合に、ＭＰＵ１１６は、抽出されたデータ軽減対象の画像ファイルに対してデータ軽減処理を行うかどうかをユーザに確認するために、例えば「このファイルに対してデータ軽減処理を行ってもよいですか？」等の警告メッセージをＬＣＤ１１２に表示させるように指示を送る（ステップＳ１３）。その後、ＭＰＵ１１６は、ユーザによる操作部１１９の操作によって、抽出した画像ファイルに対するデータ軽減処理の実行が許可されたかを判定する（ステップＳ１４）。ステップＳ１４の判定において、抽出した画像ファイルに対する軽減処理の実行が許可されなかった場合に、ＭＰＵ１１６は、別のデータ軽減対象の画像ファイルが存在するかを判定する（ステップＳ１５）。ステップＳ１５の判定において、別のデータ軽減対象の画像ファイルが存在する場合に、ＭＰＵ１１６は、ステップＳ１３に戻って、別のデータ軽減対象の画像ファイルについて、データ軽減処理を行っても良いかを確認するための表示を行わせる。一方、ステップＳ１５の判定において、別のデータ軽減対象の画像ファイルが存在しない場合に、ＭＰＵ１１６は、ステップＳ１２に戻ってデータ軽減処理を行えない旨をユーザに通知する。
【００３５】
また、ステップＳ１４の判定において、抽出した画像ファイルに対する軽減処理の実行が許可された場合に、ＭＰＵ１１６は、「撮影時軽減方法設定」が５、即ち「画像毎に選択」に設定されているかを判定する（ステップＳ１６）。ステップＳ１６の判定において、「撮影時軽減方法設定」が「画像毎に選択」に設定されている場合に、ＭＰＵ１１６は、ユーザに抽出した画像ファイルに対するデータ軽減処理方法を１〜４の中から選択するようにユーザに促す（ステップＳ１７）。
【００３６】
ステップＳ１６又はステップＳ１７の後、ＭＰＵ１１６は、現在選択されている方法でデータ軽減処理を行うように画像処理回路１０９に指示を送る（ステップＳ１８）。データ軽減処理の終了後、ＭＰＵ１１６は、現在のメモリカード１１５の空容量が「容量設定」においてユーザによって設定された設定容量以上であるかを判定する（ステップＳ１９）。ステップＳ１９の判定において、メモリカード１１５の空容量が「容量設定」においてユーザによって設定された設定容量未満である場合に、ＭＰＵ１１６は、さらなるデータ軽減処理を行うべく、ステップＳ８以後の処理を再び実行する。また、ステップＳ１９の判定において、メモリカード１１５の空容量が「容量設定」においてユーザによって設定された設定容量以上である場合に、ＭＰＵ１１６は、メモリカード１１５の空容量が確保された旨をユーザに通知するために、例えば「容量が確保されました。データ軽減処理を終了しますか？」等の警告メッセージをＬＣＤ１１２に表示させるように指示を送る（ステップＳ２０）。その後、ＭＰＵ１１６は、ユーザによる操作部１１９の操作によってデータ軽減処理の終了が指示されたかを判定する（ステップＳ２１）。ステップＳ２１の判定において、ユーザによる操作部１１９の操作によってデータ軽減処理の継続が指示された場合に、ＭＰＵ１１６は次のデータ軽減対象の画像ファイルを抽出すべく、ステップＳ８以後の処理を再び実行する。一方、ステップＳ２１の判定においてユーザによる操作部１１９の操作によってデータ軽減処理の終了が指示された場合には、図２の処理を終了させる。
【００３７】
以上の図２で説明したデータ軽減処理の終了後は、従来の静止画撮影の処理と同様である。即ち、ＭＰＵ１１６は、図２の処理の後、ユーザによる操作部１１９の操作によって撮影実行が指示されたか、即ち２ｎｄレリーズ操作（レリーズボタンの全押し操作）がなされたかを判定し、撮影実行が指示された場合に、静止画撮影を実行し、この静止画撮影により得られる画像ファイルをメモリカード１１５に記録させる。なお、データ軽減処理を行っていない場合には、メモリカード１１５の容量が不足して撮影を行えない場合があり得るので、この場合には、撮影を行えない旨を警告することが望ましい。
【００３８】
ここで、図２の処理では、データ軽減対象となる画像ファイルの抽出後、ステップＳ１３において、抽出された画像ファイルに対してデータ軽減処理を実行するか否かをユーザに選択させるようにしているが、このような処理を行わずに、データ軽減対象となる画像ファイルの抽出後には抽出された画像ファイルに対するデータ軽減処理を自動的に実行するようにしても良い。
【００３９】
次に、図２の画像付随情報解析処理について説明する。図４〜図７は、画像付随情報解析処理について示すフローチャートである。画像付随情報解析処理において、ＭＰＵ１１６は、まず、全画像ファイルの画像付随情報を参照して撮影日時の最も古い画像ファイルを選択する（ステップＳ３１）。次に、選択した画像ファイルの画像付随情報を参照して、その画像ファイルが編集又は削除が不可に設定されているかを判定する（ステップＳ３２）。ステップＳ３２の判定において、画像ファイルが編集又は削除が不可に設定されている場合には、ユーザが意図してその画像ファイルを残したいと考えているので、ＭＰＵ１１６は、その画像ファイルをデータ軽減対象の画像ファイルから除外する（ステップＳ３３）。
【００４０】
ステップＳ３２又はステップＳ３３の後、ＭＰＵ１１６は、全画像ファイルを選択したかを判定する（ステップＳ３４）。ステップＳ３４の判定において、全画像ファイルを選択していない場合には、次に撮影日時の古い画像ファイルを選択して（ステップＳ３５）、ステップＳ３２に戻る。このようにして、撮影日時の古い順に、順次編集又は削除が不可に設定されているかが判定される。また、ステップＳ３４の判定において、全画像ファイルを選択した場合に、ＭＰＵ１１６は、データ軽減対象から除外されていない画像ファイルが存在するか否かを判定する（ステップＳ３６）。ステップＳ３６の判定において、データ軽減対象から除外されていない画像ファイルが存在しない場合には画像付随情報解析処理を終了する。この場合には、データ軽減対象の画像ファイルが抽出できなかったことになる。
【００４１】
一方、ステップＳ３６の判定において、データ軽減対象から除外されていない画像ファイルが存在する場合、ＭＰＵ１１６は、データ軽減対象から除外されていない画像ファイルの中で撮影日時の最も古い画像ファイルを選択する（ステップＳ３７）。次に、選択した画像ファイルの画像付随情報を参照して、その画像ファイルが印刷指定されているかを判定する（ステップＳ３８）。ステップＳ３８の判定において、画像ファイルが印刷指定されている場合には、ユーザが後に画像の印刷を行うので、ＭＰＵ１１６は、その画像ファイルをデータ軽減対象の画像ファイルから除外する（ステップＳ３９）。
【００４２】
ステップＳ３８又はステップＳ３９の後、ＭＰＵ１１６は、ステップＳ３３においてデータ軽減対象から除外されていない残りの全画像ファイルを選択したかを判定する（ステップＳ４０）。ステップＳ４０の判定において、全画像ファイルを選択していない場合には、次に撮影日時の古い画像ファイルを選択して（ステップＳ４１）、ステップＳ３８に戻る。また、ステップＳ４０の判定において、全画像ファイルを選択した場合に、ＭＰＵ１１６は、データ軽減対象から除外されていない画像ファイルが存在するか否かを判定する（ステップＳ４２）。ステップＳ４２の判定において、データ軽減対象から除外されていない画像ファイルが存在しない場合には画像付随情報解析処理を終了する。この場合にも、データ軽減対象の画像ファイルが抽出できなかったことになる。
【００４３】
一方、ステップＳ４２の判定において、データ軽減対象から除外されていない画像ファイルが存在する場合、ＭＰＵ１１６は、データ軽減対象から除外されていない画像ファイルの中で撮影日時の最も古い画像ファイルを選択する（ステップＳ５１）。次に、選択した画像ファイルの画像付随情報を参照して、その画像ファイルがお気に入り登録されているかを判定する（ステップＳ５２）。ステップＳ５２の判定において、画像ファイルがお気に入り登録されている場合には、ＭＰＵ１１６は、その画像ファイルをデータ軽減対象の画像ファイルから除外する（ステップＳ５３）。
【００４４】
ステップＳ５２又はステップＳ５３の後、ＭＰＵ１１６は、ステップＳ３９においてデータ軽減対象から除外されていない残りの全画像ファイルを選択したかを判定する（ステップＳ５４）。ステップＳ５４の判定において、全画像ファイルを選択していない場合には、次に撮影日時の古い画像ファイルを選択して（ステップＳ５５）、ステップＳ５２に戻る。また、ステップＳ５４の判定において、全画像ファイルを選択した場合に、ＭＰＵ１１６は、データ軽減対象から除外されていない画像ファイルが存在するか否かを判定する（ステップＳ５６）。ステップＳ５６の判定において、データ軽減対象から除外されていない画像ファイルが存在しない場合には画像付随情報解析処理を終了する。この場合にも、データ軽減対象の画像ファイルが抽出できなかったことになる。
【００４５】
一方、ステップＳ５６の判定において、データ軽減対象から除外されていない画像ファイルが存在する場合、ＭＰＵ１１６は、データ軽減対象から除外されていない画像ファイルの中で撮影日時の最も古い画像ファイルを選択する（ステップＳ５７）。次に、選択した画像ファイルの画像付随情報を参照して、その画像ファイルにおいて顔位置が検出されているかを判定する（ステップＳ５８）。ステップＳ５８の判定において、画像ファイルにおいて顔位置が検出されている場合には、ユーザが意図して顔検出モードでの撮影を行ったとして、ＭＰＵ１１６は、その画像ファイルをデータ軽減対象の画像ファイルから除外する（ステップＳ５９）。
【００４６】
ステップＳ５８又はステップＳ５９の後、ＭＰＵ１１６は、ステップＳ５３においてデータ軽減対象から除外されていない残りの全画像ファイルを選択したかを判定する（ステップＳ６０）。ステップＳ６０の判定において、全画像ファイルを選択していない場合には、次に撮影日時の古い画像ファイルを選択して（ステップＳ６１）、ステップＳ５８に戻る。また、ステップＳ６０の判定において、全画像ファイルを選択した場合に、ＭＰＵ１１６は、データ軽減対象から除外されていない画像ファイルが存在するか否かを判定する（ステップＳ６２）。ステップＳ６２の判定において、データ軽減対象から除外されていない画像ファイルが存在しない場合には画像付随情報解析処理を終了する。この場合にも、データ軽減対象の画像ファイルが抽出できなかったことになる。
【００４７】
一方、ステップＳ６２の判定において、データ軽減対象から除外されていない画像ファイルが存在する場合、ＭＰＵ１１６は、データ軽減対象から除外されていない画像ファイルの中で撮影日時の最も古い画像ファイルを選択する（ステップＳ７１）。次に、選択した画像ファイルの画像付随情報を参照して、その画像ファイルを取得したときの撮影モードが顔検出モード（撮影時に顔検出を行ってＡＥやＡＦを行うモード）であるかを判定する（ステップＳ７２）。ステップＳ７２の判定において、撮影モードが顔検出モードである場合に、ＭＰＵ１１６は、その画像ファイルをデータ軽減対象の画像ファイルから除外する（ステップＳ７３）。また、ステップＳ７２の判定において、撮影モードが顔検出モードでない場合に、ＭＰＵ１１６は、その画像ファイルを取得したときの撮影モードがシーンモード（風景撮影に適した露出条件で撮影を行うモード）であるかを判定する（ステップＳ７４）。ステップＳ７４の判定において、撮影モードがシーンモードである場合には、画像内に顔は存在していないが、ユーザが意図して風景撮影を行っているとして、ＭＰＵ１１６は、その画像ファイルをデータ軽減対象の画像ファイルから除外する。また、ステップＳ７４の判定において、撮影モードがシーンモードでない場合に、ＭＰＵ１１６は、その画像ファイルを取得したときの撮影モードがシャッタ速優先モード（ユーザの設定したシャッタ速で適正露光量が得られるように撮影を行うモード）であるかを判定する（ステップＳ７５）。ステップＳ７５の判定において、撮影モードがシャッタ速優先モードである場合には、ユーザが意図してシャッタ速を設定して特殊な効果の画像を撮影している可能性が高いとして、ＭＰＵ１１６は、その画像ファイルをデータ軽減対象の画像ファイルから除外する。また、ステップＳ７５の判定において、撮影モードがシャッタ速優先モードでない場合に、ＭＰＵ１１６は、その画像ファイルを取得したときの撮影モードがＡＥブラケット（１回のレリーズ操作に対して露出量を変えて複数枚の画像を撮影するモード）やＷＢブラケット（１回のレリーズ操作に対してホワイトバランスを変えて複数枚の画像を撮影するモード）等の各種ブラケット撮影モードであるかを判定する（ステップＳ７６）。ステップＳ７６の判定において、撮影モードがブラケット撮影モードである場合には、ユーザが意図して複数枚の画像を撮影しているとして、ＭＰＵ１１６は、その画像ファイルをデータ軽減対象の画像ファイルから除外する。また、ステップＳ７６の判定において、撮影モードがブラケット撮影モードでない場合に、ＭＰＵ１１６は、その画像ファイルを取得したときの撮影モードがＲＡＷモードであるかを判定する（ステップＳ７７）。ステップＳ７７の判定において、撮影モードがＲＡＷモードである場合には、ユーザが意図してＲＡＷ形式の画像データを取得した可能性が高いとして、ＭＰＵ１１６は、その画像ファイルをデータ軽減対象の画像ファイルから除外する。また、ステップＳ７７の判定において、撮影モードがＲＡＷモードでない場合に、ＭＰＵ１１６は、その画像ファイルを取得したときの撮影モードが同時撮りモードであるかを判定する（ステップＳ７８）。ステップＳ７８の判定において、撮影モードが同時撮りモードである場合には、同じシーンに対してＪＰＥＧ形式の画像データとＲＡＷ形式の画像データとが取得されている。この場合、ＲＡＷ形式の画像データさえ残しておけば、ＪＰＥＧ形式の画像データを復元することは可能であるため、ＭＰＵ１１６は、その画像ファイルのＪＰＥＧファイルをデータ軽減対象の候補に設定する（ステップＳ７９）。一方、ステップＳ７８の判定において、撮影モードが同時撮りモードでない場合には、ステップＳ７９の処理をスキップする。
【００４８】
ステップＳ７３又はステップＳ７９の後、ＭＰＵ１１６は、ステップＳ５９においてデータ軽減対象から除外されていない残りの全画像ファイルを選択したかを判定する（ステップＳ８０）。ステップＳ８０の判定において、全画像ファイルを選択していない場合には、次に撮影日時の古い画像ファイルを選択して（ステップＳ８１）、ステップＳ７２に戻る。また、ステップＳ８０の判定において、全画像ファイルを選択した場合に、ＭＰＵ１１６は、データ軽減対象から除外されていない画像ファイルが存在するか否かを判定する（ステップＳ８２）。ステップＳ８２の判定において、データ軽減対象から除外されていない画像ファイルが存在しない場合には画像付随情報解析処理を終了する。
【００４９】
一方、ステップＳ８２の判定において、データ軽減対象から除外されていない画像ファイルが存在する場合、ＭＰＵ１１６は、データ軽減対象から除外されていない画像ファイルを全て選択する（ステップＳ９１）。次に、ＭＰＵ１１６は、データ軽減対象から除外されていない画像ファイル全体での、高画質ＪＰＥＧ形式の画像ファイル、標準画質ＪＰＥＧ形式の画像ファイル、小サイズＪＰＥＧ形式の画像ファイルの枚数比率を算出する（ステップＳ９２）。そして、ＭＰＵ１１６は、算出した枚数比率のうち、小サイズＪＰＥＧ形式の画像ファイルの枚数比率が最も低いかを判定する（ステップＳ９３）。ステップＳ９３の判定において、小サイズＪＰＥＧ形式の画像ファイルの枚数比率が最も低い場合、小サイズＪＰＥＧ形式の画像ファイルはデータ軽減処理による画質の劣化が大きく、また、データ軽減処理を行っても、それほどのデータ軽減にはならないため、ＭＰＵ１１６は、残った全ての小サイズＪＰＥＧ形式の画像ファイルをデータ軽減対象から除外する（ステップＳ９４）。その後、画像付随情報解析処理を終了する。
【００５０】
一方、ステップＳ９４の判定において、小サイズＪＰＥＧ形式の画像ファイルの枚数比率が最も低くはない場合、ＭＰＵ１１６は、算出した枚数比率のうち、高画質ＪＰＥＧ形式の画像ファイルの枚数比率が最も高いかを判定する（ステップＳ９５）。ステップＳ９５の判定において、高画質ＪＰＥＧ形式の画像ファイルの枚数比率が最も高くはない場合、ユーザが意図して高画質に設定した可能性が高いため、ＭＰＵ１１６は、高画質ＪＰＥＧ形式の画像ファイルをデータ軽減対象から除外する（ステップＳ９６）。その後、画像付随情報解析処理を終了する。また、ステップＳ９５の判定において、高画質ＪＰＥＧ形式の画像ファイルの枚数比率が最も高い場合には、ユーザが意図して高画質に設定した可能性が低く、またデータ軽減処理をしても画質の劣化が少なく且つデータ軽減処理によるデータ軽減効果が大きいため、ＭＰＵ１１６は、残った全ての高画質ＪＰＥＧ形式の画像ファイルをデータ軽減対象の候補とする（ステップＳ９７）。その後、画像付随情報解析処理を終了する。
【００５１】
次に、図２の画像データ解析処理について説明する。図８は、画像データ解析処理について示すフローチャートである。画像データ解析処理において、ＭＰＵ１１６は、まず、画像付随情報解析処理においてデータ軽減対象の候補とされなかった全画像ファイルの画像付随情報を参照して撮影日時の最も古い画像ファイルを選択する（ステップＳ１０１）。次に、ＭＰＵ１１６は、画像処理回路１０９に、選択した画像ファイルの画像データに対するブレ検出処理を実行させ、その結果から画像データのブレ量が所定量以上大きいかを判定する（ステップＳ１０２）。ステップＳ１０２の判定において、画像データのブレ量が所定量以上大きい場合に、ＭＰＵ１１６は、その画像ファイルをデータ軽減対象の画像ファイルの候補とする（ステップＳ１０３）。
【００５２】
ステップＳ１０２又はステップＳ１０３の後、ＭＰＵ１１６は、全画像ファイルを選択したかを判定する（ステップＳ１０４）。ステップＳ１０４の判定において、全画像ファイルを選択していない場合には、次に撮影日時の古い画像ファイルを選択して（ステップＳ１０５）、ステップＳ１０２に戻る。また、ステップＳ１０４の判定において、全画像ファイルを選択した場合に、ＭＰＵ１１６は、データ軽減対象の候補とされていない画像ファイルが存在するか否かを判定する（ステップＳ１０６）。ステップＳ１０６の判定において、データ軽減対象の候補とされていない画像ファイルが存在しない場合には画像データ解析処理を終了する。
【００５３】
一方、ステップＳ１０６の判定において、データ軽減対象の候補とされていない画像ファイルが存在する場合、ＭＰＵ１１６は、データ軽減対象の候補とされていない画像ファイルの中で撮影日時の最も古い画像ファイルを選択する（ステップＳ１０７）。次に、ＭＰＵ１１６は、画像処理回路１０９に、選択した画像ファイルの画像データに対するボケ検出処理を実行させ、その結果から画像データのボケ量が所定量以上強いかを判定する（ステップＳ１０８）。ステップＳ１０８の判定において、画像データのボケ量が所定量以上強い場合に、ＭＰＵ１１６は、その画像ファイルをデータ軽減対象の画像ファイルの候補とする（ステップＳ１０９）。
【００５４】
ステップＳ１０８又はステップＳ１０９の後、ＭＰＵ１１６は、ステップＳ１０３においてデータ軽減対象の候補とされていない残りの全画像ファイルを選択したかを判定する（ステップＳ１１０）。ステップＳ１１０の判定において、全画像ファイルを選択していない場合には、次に撮影日時の古い画像ファイルを選択して（ステップＳ１１１）、ステップＳ１０８に戻る。また、ステップＳ１１０の判定において、全画像ファイルを選択した場合に、ＭＰＵ１１６は、データ軽減対象の候補とされていない画像ファイルが存在するか否かを判定する（ステップＳ１１２）。ステップＳ１１２の判定において、データ軽減対象の候補とされていない画像ファイルが存在しない場合には画像データ解析処理を終了する。
【００５５】
一方、ステップＳ１１２の判定において、データ軽減対象の候補とされていない画像ファイルが存在する場合、ＭＰＵ１１６は、データ軽減対象の候補とされていない画像ファイルの中で撮影日時の最も古い画像ファイルを選択する（ステップＳ１１３）。次に、ＭＰＵ１１６は、画像処理回路１０９に、選択した画像ファイルの画像データに対する顔検出処理を実行させ、その結果から画像内に顔が存在しているかを判定する（ステップＳ１１４）。ステップＳ１１４の判定において、画像内に顔が存在していない場合に、ＭＰＵ１１６は、その画像ファイルをデータ軽減対象の画像ファイルの候補とする（ステップＳ１１５）。
【００５６】
ステップＳ１１４又はステップＳ１１５の後、ＭＰＵ１１６は、ステップＳ１０９においてデータ軽減対象の候補とされていない残りの全画像ファイルを選択したかを判定する（ステップＳ１１６）。ステップＳ１１６の判定において、全画像ファイルを選択していない場合には、次に撮影日時の古い画像ファイルを選択して（ステップＳ１１７）、ステップＳ１１４に戻る。また、ステップＳ１１６の判定において、全画像ファイルを選択した場合には画像データ解析処理を終了する。
【００５７】
図９は、図１に示すデジタルカメラの画像編集時におけるデータ軽減処理動作について特に示すフローチャートである。なお、図９に示す動作は、デジタルカメラにおける静止画像再生時等にＬＣＤ１１２に表示される「編集メニュー」から実行できる。
【００５８】
図１０は、編集時のデータ軽減処理設定の際に表示される項目のツリー構造について示した図である。図１０に示すように、編集時のデータ軽減処理設定は、「編集メニュー」内に含まれる項目である。ユーザが「編集メニュー」の「容量軽減設定」を選択すると、「容量設定」、「編集時軽減方法設定」の２つの項目が表示される。これら「容量設定」、「編集時軽減方法設定」はそれぞれ図３で説明した「容量設定」、「撮影時軽減方法設定」と同様であるので説明を省略する。また、「編集メニュー」の「容量軽減実行」を選択すると、図９に示す動作が実行される。なお、図９に示す動作は、図２のステップＳ８〜Ｓ２１の動作と同様である。したがって、ここでは説明を省略する。
【００５９】
以上説明したように、本実施形態によれば、静止画撮影に適した条件でデータ軽減対象の画像ファイルを抽出してデータ軽減処理を行うことができる。また、データ軽減処理は画像ファイルの削除以外にも、圧縮率の変更やリサイズ等、ユーザの好みに応じて設定できる。
【００６０】
また、画像付随情報解析処理によってデータ軽減対象の画像ファイルを抽出する際には、ユーザがデータ軽減対象としたくないと考えられる画像ファイルを優先的にデータ軽減対象から除外していくことで、データ軽減対象の画像ファイルの抽出を比較的短時間で終了できる。
【００６１】
さらに、データ軽減対象の画像ファイルを抽出する際には、短時間で終了する画像付随情報解析処理を先に行い、比較的、長時間が必要な画像データ解析処理を後で行うことにより、多くの画像ファイルがデータ軽減対象から除外された状態で画像データ解析処理を行うことができ、結果として、データ軽減対象の画像ファイルの抽出にかかる時間を短縮できる。また、画像データ解析処理においても、他の処理に比べて時間のかかりやすい顔検出処理を最後に行うことによって画像ファイルの抽出にかかる時間を短縮できる。
【００６２】
以上実施形態に基づいて本発明を説明したが、本発明は上述した実施形態に限定されるものではなく、本発明の要旨の範囲内で種々の変形や応用が可能なことは勿論である。例えば、本実施形態では、データ軽減対象の画像ファイルを抽出する際に画像付随情報解析処理と画像データ解析処理の両方を行うようにしているが、より処理時間を短くするために画像付随情報解析処理のみを行うようにしても良い。
【００６３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００６４】
【図１】本発明の一実施形態に係る画像記録再生装置の一例としてのデジタルカメラの構成を示すブロック図である。
【図２】図１に示すデジタルカメラの静止画撮影時におけるデータ軽減処理動作について特に示すフローチャートである。
【図３】撮影時のデータ軽減処理設定の際に表示される項目のツリー構造について示した図である。
【図４】画像付随情報解析処理について示す第１のフローチャートである。
【図５】画像付随情報解析処理について示す第２のフローチャートである。
【図６】画像付随情報解析処理について示す第３のフローチャートである。
【図７】画像付随情報解析処理について示す第４のフローチャートである。
【図８】画像データ解析処理について示すフローチャートである。
【図９】図１に示すデジタルカメラの編集時におけるデータ軽減処理動作について特に示すフローチャートである。
【図１０】編集時のデータ軽減処理設定の際に表示される項目のツリー構造について示した図である。
【符号の説明】
【００６５】
１０１…レンズ系、１０２…レンズ駆動部、１０３…レンズ駆動制御回路、１０４…撮像素子、１０５…撮像回路、１０６…アナログ／デジタル（Ａ／Ｄ）変換回路、１０７…データバス、１０８…ＳＤＲＡＭ、１０９…画像処理回路、１１０…ビデオエンコーダ、１１１…ＬＣＤドライバ、１１２…ＬＣＤ、１１４…カードドライバ、１１５…メモリカード、１１６…ＭＰＵ、１１７…ＲＯＭ、１１８…インターフェース（Ｉ／Ｆ）、１１９…操作部、１２０…電源部
【図１】
2009118100.tif 000003
【図２】
2009118100.tif 000004
【図３】
2009118100.tif 000005
【図４】
2009118100.tif 000006
【図５】
2009118100.tif 000007
【図６】
2009118100.tif 000008
【図７】
2009118100.tif 000009
【図８】
2009118100.tif 000010
【図９】
2009118100.tif 000011
【図１０】
2009118100.tif 000012